(57)【要約】【課題】例えば店舗等のある場所にユーザにできる限り来てもらうことが可能な仕組みを提供する。【解決手段】管理サーバＣＳは、メッセージを電子メール本文に記述する一方、他のメッセージを暗号鍵によって暗号化し添付ファイルとして添付し、移動機ＭＳに送信する。この電子メールを見た移動機ユーザがスーパー××店に赴き、移動機ＭＳと店舗端末ＢＴを接続させると、移動機ＭＳは、添付ファイルと自身のメールアドレスを店舗端末ＢＴに送信する。店舗末ＢＴはこれらを受信すると、メモリから暗号鍵を読み出し、これを用いて添付ファイルを複号化し、暗号化されていた宝くじの結果をプリントアウトする。【選択図】        図１
2004266716.tif 000002
【特許請求の範囲】
【請求項１】
移動機と、
前記移動機との間で近距離通信を行う端末装置と、
暗号化された暗号メッセージと、前記端末装置を示す情報を含むメッセージとを前記移動機に送信するメッセージ送信手段と、前記暗号メッセージを複号化するための鍵情報を前記端末装置に送信する鍵情報送信手段とを有する管理装置とを備え、
前記端末装置が、
前記移動機から前記近距離通信を利用して送信されてくる前記暗号メッセージを前記管理装置から送信されてくる鍵情報を用いて復号化する復号手段と、復号化されたメッセージの内容を出力する出力手段とを有する通信システム。
【請求項２】
前記端末装置を示す情報を含むメッセージには、前記移動機のユーザに対し、当該移動機を持って前記端末装置の設置場所に赴くことを促すメッセージが含まれる請求項１記載の通信システム。
【請求項３】
前記端末装置を示す情報を含むメッセージには、前記暗号メッセージを前記端末装置によって復号化することができる旨のメッセージが含まれる請求項１記載の通信システム。
【請求項４】
前記端末装置の出力手段は、前記復号化したメッセージの内容を前記移動機に対しては出力しない請求項１記載の通信システム。
【請求項５】
前記管理装置のメッセージ送信手段は、各々異なる鍵情報によって暗号化された複数の前記暗号メッセージをそれぞれ複数の前記移動機に送信し、
前記管理装置の鍵情報送信手段は、前記異なる鍵情報と当該鍵情報によって暗号化された暗号メッセージの送信先である前記移動機の識別情報とを対応付けて前記端末装置に送信し、
前記端末装置の復号化手段は、前記移動機から送信されてくる前記暗号メッセージを、当該移動機の識別情報に対応付けられて前記管理装置から送信されてきた鍵情報を用いて復号化する請求項１記載の通信システム。
【請求項６】
前記端末装置は移動機である請求項１記載の通信システム。
【請求項７】
前記端末装置は商業店舗に設置され、
前記暗号メッセージは前記商業店舗において前記移動機のユーザが利用可能な特典の内容を示すメッセージである請求項１記載の通信システム。
【請求項８】
前記暗号メッセージは、前記移動機のユーザのみが知り得ることが許されているメッセージである請求項１記載の通信システム。
【請求項９】
管理装置が、暗号化された暗号メッセージと、ある端末装置を示す情報を含むメッセージとを移動機に送信する一方、前記暗号メッセージを複号化するための鍵情報を前記端末装置に送信するステップと、
前記移動機と前記端末装置が近距離通信によってデータ通信を開始するステップと、
前記端末装置が、前記移動機から前記近距離通信を利用して送信されてくる前記暗号メッセージを、前記管理装置から送信されてくる鍵情報を用いて復号化するステップと、
前記端末装置が、復号化されたメッセージの内容を出力するステップと
を有する通信方法。
【請求項１０】
暗号化された暗号メッセージと、ある端末装置を示す情報を含むメッセージとを移動機に送信するメッセージ送信手段と、
前記暗号メッセージを複号化するための鍵情報を前記端末装置に送信する鍵情報送信手段と
を有する管理装置。
【請求項１１】
コンピュータに、
暗号化された暗号メッセージと、ある端末装置を示す情報を含むメッセージとを送信手段を介して移動機に送信する機能と、
前記暗号メッセージを複号化するための鍵情報を送信手段を介して前記端末装置に送信する機能と
を実現させるためのプログラム。
【発明の詳細な説明】
【０００１】
【発明の属する技術分野】
本発明は、暗号化されたメッセージを移動機に配信し、これを出力するための技術に関する。
【０００２】
【従来の技術】
近年における電子メールの普及には目覚しいものがあり、最近では、商業者から消費者に対して広告や宣伝を目的とした電子メールが数多く配信されている。このように電子メールを用いて広告・宣伝を行う手法は、商業者の立場からみれば、チラシ、ダイレクトメール、或いはテレビやラジオを用いたコマーシャルといった既存の仕組みと比較すると圧倒的なコスト削減に寄与する、というメリットがある。
【０００３】
ただし、この手法はコスト負担能力の乏しい商業者であっても簡単に導入できるものであるため、消費者に対しては多数の商業者から膨大な量の電子メールが届けられることになりかねない。このような状況になると、消費者は大量に届けられる電子メールを一つ一つ見るのは非常に煩雑であるから、結局、どの電子メールの内容も見ることなく消去してしまうという結果になりがちである。
【０００４】
上記のように、広告・宣伝目的の電子メールの相当数が無駄になっているというのが現実であり、この仕組みによってどれほどの実益があるのかは疑問である。そこで、広告・宣伝目的の電子メールやホームページに電子クーポン等の消費者にとって利益のある特典を付与して、できる限り消費者の関心を惹こうとしたものが考えられている（例えば特許文献１）。
【０００５】
【特許文献１】
特開２００２−３５２１３１号公報
【０００６】
【発明が解決しようとする課題】
しかしながら、それでも消費者に対する訴求力には一定の限界がある。
例えば消費者は電子メールを開封した時点で電子クーポン等の特典の内容を把握できてしまうから、その電子クーポンの内容だけで商業者の店舗に行くか行かないかを判断してしまう。一例を挙げると、１００００円の価値がある電子クーポンなら店舗に行こうと考えるが、１００円程度の価値しかない電子クーポンであるならばわざわざ店舗には行かない、というような場合である。
商業者にとっては、とにかく消費者に店舗に来てもらいさえすれば、いくらかの商品を買ってもらえることを期待することができる。もちろん消費者に提供する特典の価値を高めれば、その分だけ集客効果が向上することは明白であるが、商業者の負担をできるだけ少なくして最大の集客効果を狙うのがもっとも効果的である。
【０００７】
本発明は、このような背景の下になされたものであり、例えば店舗等のある場所にユーザに可能な限り来てもらうことが可能な仕組みを提供するものである。
【０００８】
【課題を解決するための手段】
上述した課題を解決するため、本発明は、移動機と、前記移動機との間で近距離通信を行う端末装置と、暗号化された暗号メッセージと、前記端末装置を示す情報を含むメッセージとを前記移動機に送信するメッセージ送信手段と、前記暗号メッセージを複号化するための鍵情報を前記端末装置に送信する鍵情報送信手段とを有する管理装置とを備え、前記端末装置が、前記近距離通信を利用して前記移動機から送信されてくる前記暗号メッセージを前記管理装置から送信されてくる鍵情報を用いて復号化する復号手段と、復号化されたメッセージの内容を出力する出力手段とを有する通信システムを提供する。
好ましい態様では、前記端末装置を示す情報を含むメッセージは、移動機のユーザに当該移動機を持って端末装置の設置場所に赴くことを促すメッセージであってもよいし、暗号メッセージを端末装置によって復号化することができる旨のメッセージであってもよい。
この通信システムによれば、移動機のユーザは暗号メッセージを見るために端末装置の設置場所に必ず赴かなければならない。つまり、ユーザを端末装置の周辺に集めることが期待できるので、例えば商業店舗やイベント会場の集客効果が期待できる。また、ユーザは端末装置を用いない限り暗号メッセージの内容を確認することができないので、暗号メッセージの秘匿性が向上する。
【０００９】
また、好ましい態様では、前記端末装置の出力手段は、前記復号したメッセージの内容を前記移動機に対しては出力しないようにしてもよい。このようにすれば、ユーザはいったん復号した暗号メッセージであっても、それを再度参照しようとしたときには端末装置を用いない限り暗号メッセージの内容を確認することができないので、暗号メッセージの秘匿性が向上する。
【００１０】
また、好ましい態様では、前記管理装置のメッセージ送信手段は、各々異なる鍵情報によって暗号化された複数の前記暗号メッセージをそれぞれ複数の前記移動機に送信し、前記管理装置の鍵情報送信手段は、前記異なる鍵情報と当該鍵情報によって暗号化された暗号メッセージの送信先である前記移動機の識別情報とを対応付けて前記端末装置に送信し、前記端末装置の復号化手段は、前記移動機から送信されてくる前記暗号メッセージを、当該移動機の識別情報に対応付けられて前記管理装置から送信されてきた鍵情報を用いて復号化してもよい。
このようにメッセージを異なる鍵情報で暗号化すれば暗号メッセージの秘匿性が向上する。
【００１１】
更に好ましい態様では、前記端末装置は商業店舗に設置され、前記暗号メッセージは前記商業店舗において前記移動機のユーザが利用可能な特典の内容を示すメッセージであってもよいし、前記暗号メッセージは前記移動機のユーザが知り得ることが許されているメッセージであってもよい。
【００１２】
【発明の実施の形態】
以下、図面を参照して、この発明の実施形態について説明する。
Ａ：構成
以下、図面を参照して、本発明の実施の一形態である通信システムについて説明する。なお、図面において、共通する部分には同一の符号が付されている。
図１は、通信システムの全体構成を示すブロック図である。図１に示されるように、この通信システムは、ユーザが携帯する移動機ＭＳと、移動機ＭＳに対して移動パケット通信サービスを提供する移動パケット通信網ＭＰＮと、この移動パケット通信網ＭＰＮに接続されたインターネットＩＮＥＴと、インターネットＩＮＥＴに接続された管理サーバＣＳと、管理サーバＣＳにＬＡＮ（Ｌｏｃａｌ    Ａｒｅａ    Ｎｅｔｗｏｒｋ）を介して接続された店舗端末ＢＴ１、ＢＴ２とを備えている。ここで、店舗端末ＢＴ１はスーパー××店に設置されており、店舗端末ＢＴ２は別のスーパー○○店に設置されているとする。スーパー××店やスーパー○○店は同列のチェーン店であり、これらを経営する商業者が管理サーバＣＳの管理者である。
なお、この図１においては、図面が繁雑になるのを避けるために、移動機、管理サーバ及び店舗端末を１つ或いは２つしか図示していないが、これらは実際には多数存在する。また、店舗端末ＢＴ１、ＢＴ２は同等の構成および動作であるから、以下では特に区別して説明するを場合除き、「店舗端末ＢＴ」と総称する。
【００１３】
管理サーバＣＳは、一般的なサーバ装置と同等のハードウェアによって構成されており、図２に示されるように、ＣＰＵ（Ｃｅｎｔｒａｌ    Ｐｒｏｃｃｅｓｓｉｎｇ  Ｕｎｉｔ）１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、通信ポート１４及びハードディスク１５を備えている。このハードディスク１５には、電子メールによって移動機ＭＳに送信すべき各種メッセージや、これらメッセージを暗号化及び複号化するための暗号鍵のほか、これらのメッセージや暗号鍵を移動機ＭＳや店舗端末ＢＴに送信するための手順が記述されたコンピュータプログラムや、このコンピュータプログラムに記述された手順に従ってＣＰＵ１１によって生成される管理テーブルＣＴが記憶されている。
【００１４】
移動機ＭＳは、無線によってデータ通信を行う周知の通信端末であり、例えばＰＤＣ（Ｐｅｒｓｏｎａｌ  Ｄｉｇｉｔａｌ    Ｃｅｌｌｕｌａｒ）方式或いはＩＭＴ２０００（Ｉｎｔｅｒｎａｔｉｏｎａｌ    Ｍｏｂｉｌｅ    Ｔｅｌｅｃｏｍｍｎｕｃａｔｉｏｎ−２０００）方式の携帯電話機や、ＰＨＳ（登録商標：Ｐｅｒｓｏｎａｌ  Ｈａｎｄｙｐｈｏｎｅ  Ｓｙｓｔｅｍ）方式の簡易携帯電話機や、無線によるデータ通信機能を備えたＰＤＡ（Ｐｅｒｓｏｎａｌ  Ｄｉｇｉｔａｌ    Ａｓｓｉｓｓｔａｎｔｓ）等である。移動機ＭＳの不揮発性メモリには、電子メールを送受信するためのメーラが記憶されており、移動機ＭＳのＣＰＵはこのメーラを実行することによって、移動パケット通信網ＭＰＮやインターネットＩＮＥＴを介して他のメールクライアントと電子メールをやり取りすることができるようになっている。また、移動機ＭＳは、外部装置に接続される周知のデータ入出力端子を備えており、移動機ＭＳのＣＰＵはこの端子を介して外部装置との間でデータ通信を行うことができるようになっている。
【００１５】
店舗端末ＢＴは、図３に示すように、制御部２１、通信部２２、データ入出力部２３、表示部２４、操作部２５及び印刷部２６を備えている。
制御部２１は、図示せぬマイクロプロセッサや各種メモリからなり、店舗端末ＢＴの各部に対する基本制御処理を実行する。制御部２１内のメモリには管理サーバＣＳからＬＡＮを介して送信されてくる暗号鍵や、各店舗端末ＢＴに割り当てられた店舗ＩＤが記憶されるようになっている。通信部２２は、ＬＡＮを介して店舗端末ＢＴとデータ通信を行う。データ入出力部２３は、移動機ＭＳが備えるデータ入出力端子に接続される端子を備えており、移動機ＭＳとの間でデータ通信を行う。表示部２４は、例えば液晶表示パネルやパネル駆動回路を有し、制御部２１から供給されるデータで表される画像を表示する。操作部２５は複数の操作子を備え、操作子の操作に応じた信号を制御部２１へ供給する。印刷部２６は、制御部２１から供給されるデータで表される画像を紙に印刷する。
【００１６】
次に、管理サーバＣＳから移動機ＭＳに送信される電子メールの内容について説明する。
本実施形態においては、移動機ＭＳに送信すべきメッセージには各々ユニークなメッセージ識別子が割り当てられている。前述したように管理サーバＣＳの制御部２１には管理テーブルＣＴが記憶されているが、この管理テーブルＣＴにおいては、図４に示すように、どの移動機ＭＳにどのメッセージを送信するかということが上記メッセージ識別子によって表されている。例えば図４のテーブル上段部分は、メールアドレス「ｔａｒｏ＠ａｂｃ．ｃｏ．ｊｐ」、「ｍａｒｉ＠ａｂｃ．ｃｏ．ｊｐ」・・・「ｙｏｓｈｉ＠ａｂｃ．ｃｏ．ｊｐ」の移動機ＭＳに対しては、メッセージ識別子「ｍｓｇ−Ａ」が割り当てられたメッセージが電子メールの本文に記述されて送信されることを意味している。このメッセージ識別子「ｍｓｇ−Ａ」が示すメッセージは、暗号化されることなく、そのまま移動機ＭＳに送信されるメッセージである。これらのメッセージの内容そのものを表すデータはハードディスク１５内の所定領域に記憶されている。
【００１７】
これに対し、メールアドレス「ｔａｒｏ＠ａｂｃ．ｃｏ．ｊｐ」の移動機ＭＳに送信されるメッセージ識別子「ｍｓｇ−Ａ１」が示すメッセージは、暗号鍵「Ｋｅｙ−Ａ１」によって暗号化されるようになっている。そして、この暗号化されたメッセージは、メッセージ識別子「ｍｓｇ−Ａ」によって示されるメッセージが本文部分に記述された電子メールに添付されて移動機ＭＳに送信されることになる。同様に、メールアドレス「ｍａｒｉ＠ａｂｃ．ｃｏ．ｊｐ」に送信されるメッセージ識別子「ｍｓｇ−Ａ２」が示すメッセージは暗号鍵「Ｋｅｙ−Ａ２」によって暗号化されて送信され、メールアドレス「ｙｏｓｈｉ＠ａｂｃ．ｃｏ．ｊｐ」に送信されるメッセージ識別子「ｍｓｇ−Ａ９」が示すメッセージは暗号鍵「Ｋｅｙ−Ａ９」によって暗号化されて送信されるようになっている。
また、これらの暗号処理に用いられた暗号鍵「Ｋｅｙ−Ａ１」、「Ｋｅｙ−Ａ２」・・・「Ｋｅｙ−Ａ９」は、端末ＩＤ「ＢＴ０００１」が割り当てられた店舗端末ＢＴに送信されるようになっている。
これらのメッセージそのものや暗号鍵の内容そのものを表すデータはハードディスク１５内の所定領域に記憶されている
【００１８】
また、図４のテーブル下段部分に示すように、メールアドレス「ｔａｎａｋａ＠ａｂｃ．ｃｏ．ｊｐ」〜「ｍａｔｓｕｍｏｔｏ＠ａｂｃ．ｃｏ．ｊｐ」の移動機ＭＳに対しては、メッセージ識別子「ｍｓｇ−Ｂ」が付された共通のメッセージが送信されることを意味している。また、これらメールアドレス「ｔａｎａｋａ＠ａｂｃ．ｃｏ．ｊｐ」〜「ｍａｔｓｕｍｏｔｏ＠ａｂｃ．ｃｏ．ｊｐ」の移動機ＭＳに対して、メッセージ識別子「ｍｓｇ−Ｂ１」が付された共通のメッセージが暗号鍵「ｋｅｙ−Ｂ１」を用いて暗号化されて送信されるようになっている。
【００１９】
どのメッセージをどの移動機にどの暗号鍵で暗号化して送信するかということは管理サーバＣＳの管理者（つまり商業者）によって定められる。以下、メッセージの具体的内容について説明する。
図５は、移動機ＭＳに送信される電子メールの一例を示した図である。
図５に示すメール本文部分Ｆ１に相当するメッセージは、上述したメッセージ識別子「ｍｓｇ−Ａ」が示すメッセージであり、一方、アイコンＦ２は、上述したメッセージ識別子「ｍｓｇ−Ａ１」が示すメッセージが暗号化されてファイル形式で添付されていることを示したものである。この暗号化されている添付ファイルを複号化するための暗号鍵「Ｋｅｙ−Ａ１」は、図４に示したように、メール本文部分Ｆ１に記載されているスーパー××店の店舗端末ＢＴ１（店舗ＩＤ「ＢＴ０００１」）に管理サーバＣＳから送信されているはずである。よって、メール本文部分Ｆ１は、スーパー××店に行けば添付ファイル内の宝くじの結果が参照できるからそのスーパー××店に行くことをユーザに促すような内容となっている。
【００２０】
これを見たユーザがスーパー××店に赴き、移動機ＭＳと店舗端末ＢＴ１を接続させた上で、移動機ＭＳ或いは店舗端末ＢＴ１を操作して、移動機ＭＳから店舗端末ＢＴ１に添付ファイルを送信させることを指示すると、まず、移動機ＭＳは添付ファイルと自身のメールアドレスを店舗端末ＢＴ１に送信する。一方、店舗端末ＢＴ１はこれらを受信すると、受信したメールアドレスに対応付けて既に記憶している暗号鍵を用いて添付ファイルを複号化し、これによって図６に示すような宝くじの結果を紙に印刷する。ただし、店舗端末ＢＴ１は、復号化した結果を紙に印刷するだけであり、その復号結果を移動機ＭＳに送信するようなことはしない。
この宝くじの結果のようにユーザの各々に対して異なるメッセージを管理サーバＣＳが送信する場合には、その暗号処理に用いる暗号鍵には各々異なるものを用いて秘匿性の向上を図ることが望ましい。
【００２１】
また、管理サーバＣＳが送信するメッセージは図７及び図８に示すようなメッセージであってもよい。
図７に示すメール本文部分Ｆ３に相当するメッセージは、上述したメッセージ識別子「ｍｓｇ−Ｂ」（図４のテーブル下段部分）が示すメッセージであり、一方、アイコンＦ４は、上述したメッセージ識別子「ｍｓｇ−Ｂ１」が示すメッセージが暗号化されてファイル形式で添付されていることを示している。この暗号化されている添付ファイルを複号化するための暗号鍵「ｋｅｙ−Ｂ１」は、図４に示すように、メール本文部分Ｆ３に記載されているスーパー〇〇店の店舗端末ＢＴ２（店舗ＩＤ「ＢＴ０００２」）に送信されているはずである。よって、メール本文部分Ｆ３には、このスーパー〇〇店にいけば添付ファイル内の割引に関する情報が参照できるから、ユーザに対してスーパー〇〇店に行くことを促すようなメッセージ内容となっている。ユーザがスーパー〇〇店に赴き、移動機ＭＳと店舗端末ＢＴ２を接続させて上記と同様の処理を経ると、店舗端末ＢＴ２によって図８に示すような割引価格に関する情報が紙に印刷されることになる。ただし、店舗端末ＢＴ２は、復号化した結果を紙に印刷するだけであり、その復号結果を移動機ＭＳに送信するようなことはしない。
上記の割引価格に関する情報のように、複数のユーザに対して共通のメッセージを送信する場合には、その暗号処理に用いる暗号鍵を複数のユーザで共通なものを用いてもよい。ただし、各ユーザに対して異なる割引価格を提供するような場合には、各々異なるメッセージを異なる暗号鍵によって暗号化して秘匿性の向上を図ることが望ましい。
以上が、本実施形態の構成である。
【００２２】
Ｂ：動作
次に、図９に示すシーケンスを参照しながら、上記構成からなるシステムの動作について説明する。
まず、管理サーバＣＳのＣＰＵ１１は、ハードディスク１５に記憶されている管理テーブルＣＴの内容に基づいて、移動機ＭＳのメールアドレス「ｔａｒｏ＠ａｂｃ．ｃｏ．ｊｐ」と暗号鍵「Ｋｅｙ−Ａ１」を読み出し、これらの情報を通信ポート１４からＬＡＮを介して店舗ＩＤ「ＢＴ０００１」が示す店舗端末ＢＴ１に送信する（ステップＳ１１）。店舗端末ＢＴ１の制御部２１は、通信部２３によって受信したメールアドレス「ｔａｒｏ＠ａｂｃ．ｃｏ．ｊｐ」と暗号鍵「Ｋｅｙ−Ａ１」を対応付けてメモリに記憶する（ステップＳ１２）。
【００２３】
次に、管理サーバＣＳのＣＰＵ１１は、メールアドレス「ｔａｒｏ＠ａｂｃ．ｃｏ．ｊｐ」を宛先とした電子メールを生成する。具体的には、ＣＰＵ１１は、メッセージ識別子「ｍｓｇ−Ａ」が示すメッセージをハードディスク１５の所定領域から読み出して電子メール本文に記述する一方、メッセージ識別子「ｍｓｇ−Ａ１」が示すメッセージを暗号鍵「Ｋｅｙ−Ａ１」によって暗号化し、これをファイル形式で上記電子メールに添付する。そして、ＣＰＵ１１は、生成した電子メールを通信ポート１４からインターネットＩＮＥＴ及び移動パケット通信網ＭＰＮを介して移動機ＭＳ宛に送信する（ステップＳ１３）。
移動機ＭＳは、受信した電子メールを不揮発性メモリに記憶し（ステップＳ１４）、ユーザによる操作に従って開封する。これによって、移動機ＭＳは図５に示すような電子メールの内容を表示する。
【００２４】
これを見たユーザがスーパー××店に赴き、移動機ＭＳのデータ入出力端子と店舗端末ＢＴ１のデータ入出力部２３の端子とを接続させると、移動機ＭＳのＣＰＵと店舗端末ＢＴの制御部２１とは予め定められた手順でコネクションを確立し通信を開始する（ステップＳ１５）。
次いで、ユーザが、移動機ＭＳを操作して、移動機ＭＳから店舗端末ＢＴ１に添付ファイルを送信させることを指示すると、移動機ＭＳはこの操作を受け付け（ステップＳ１６）、添付ファイルと自身のメールアドレス「ｔａｒｏ＠ａｂｃ．ｃｏ．ｊｐ」をデータ入出力端子を介して店舗端末ＢＴ１に送信する（ステップＳ１７）。
【００２５】
店舗端末ＢＴ１の制御部２１はデータ入出力部２３によってこれらを受信すると、受信したメールアドレス「ｔａｒｏ＠ａｂｃ．ｃｏ．ｊｐ」に対応付けてメモリに記憶している暗号鍵「Ｋｅｙ−Ａ１」を読み出し（ステップＳ１８）、この暗号鍵を用いて添付ファイルを複号化する（ステップＳ１９）。そして、制御部２１は、印刷部２６を制御することにより、復号化した結果であるメッセージを図６に示すようにして紙に印刷して出力する（ステップＳ２０）。
【００２６】
以上説明した実施形態によれば、移動機ＭＳのユーザは暗号化されたメッセージを見るために店舗端末ＢＴの設置場所に必ず赴かなければならない。つまり、ユーザを店舗端末ＢＴの設置場所に来させることができるので、商業店舗における集客効果を期待できる。
ところで、集客効果を期待する方法としては、例えば次のようなものも考えられる。まず、管理サーバ装置ＣＳは、移動機ＭＳに対して、特典の内容を示すメッセージのメッセージ識別子のみを送信する一方、店舗端末ＢＴに対しては、その特典の内容を送信する。そして、ユーザが店舗に赴き移動機ＭＳと店舗端末ＢＴを接続すると、店舗端末ＢＴは移動機ＭＳから通知されてくるメッセージ識別子に対応するメッセージを出力する。このような方法でも、ユーザは店舗に来ない限り特典の内容を見ることができないのだから、一定の集客効果を生み出すことができるはずである。
しかしながら、本実施形態の特徴は、上記のような方法よりもさらに大きな集客効果を生む点にある。即ち、本実施形態では、電子メールに対して実際にファイルが添付されているのだから、そのファイルによって示される何らかのメッセージがユーザの元に届いているということが明白である。このように、何らかのメッセージが現実に届いているのに、そのメッセージの内容を正しく見ることができないという状況は、ユーザにとっての興味・関心を大いに増大させることになる。その結果、ユーザはわざわざ店舗にまで出向いてまでも、どうしてもその内容が見てみたいという心情となるのである。このような発想こそが、集客効果のさらなる増大につながるのである。
また、店舗端末ＢＴは、復号化したメッセージを紙に印刷するだけであり、その復号化されたメッセージを移動機ＭＳに送信しないようになっている。よって、ユーザは端末装置を用いない限り暗号化されたメッセージの内容を確認することができないので、その暗号化されたメッセージの秘匿性が向上する。
【００２７】
Ｃ：変形例
本発明は、上述した実施形態に限定されず、その技術思想の範囲内で種々の変更が可能である。
（１）上述の実施形態では、店舗端末ＢＴが管理サーバＣＳと有線によって接続された固定端末であったが、これに限らず、管理サーバＣＳとの間の一部通信区間を無線通信を利用して通信を行う移動機であってもよい。店舗端末ＢＴを移動機とすることにより、本発明を例えば次のようなゲームに利用することができる。
図１０に示す管理サーバＣＳは、移動機ＭＳ１に対しては暗号化されたメッセージを含む電子メールを送信するとともに、移動機ＭＳ２に対してはその暗号化されたメッセージを復号化するための暗号鍵を含む電子メールを送信する。ここで、暗号化されたメッセージを含む電子メールは、例えば図１１に示すように、復号化しないと見ることができない秘密の指令が含まれている。この電子メールを見た移動機ＭＳ１のユーザはユーザ「ｍａｒｉ」（即ち移動機ＭＳ２のユーザ）を探しに行くことになる。そして、移動機ＭＳ１のユーザはユーザ「ｍａｒｉ」を探し出して移動機ＭＳ１と移動機ＭＳ２とを接続すると、移動機ＭＳ１から移動機ＭＳ２へ添付ファイルが送信され、さらに、移動機ＭＳ２が記憶している暗号鍵によって図１１に示す指令ファイルが復号化され。この結果、図１２に示すようなメッセージが移動機ＭＳ２によって表示される。
このようにして、移動機ＭＳのユーザ同士が追いかけあいながら指令を実行する、というようなゲームを楽しむことができる。
【００２８】
また、例えば社内において非常に秘匿性の高い情報を取り扱う場合、課長等の限られた社員が持つ移動機ＭＳ２に対してのみ管理サーバＣＳから暗号鍵を配信しておき、その一方で、暗号化された秘匿性の高いメッセージを一般社員の移動機ＭＳに配信しておく。そして、一般社員は、暗号化されたメッセージを復号化したいときだけ課長のところへ赴き、移動機ＭＳ同士を接続して秘匿性の高いメッセージを復号化してもらうのである。このように、暗号化されるメッセージは、“移動機のユーザが知り得ることの許されているものではあるが、非常に秘匿性の高い”というような性格を持つメッセージであってもよい。
【００２９】
（２）上述の実施形態では、移動機ＭＳは受信した電子メールを表示するようになっていたが、メッセージの出力形態は、表示による出力に限らず、例えば音声による出力であってもよい。また、同様に、店舗端末ＢＴは復号化したメッセージを紙に印刷して出力するようになっていたが、これに限らず、例えば画面に表示したり、音声で出力するようにしてもよい。
【００３０】
（３）上述の実施形態では、移動機ＭＳと店舗端末ＢＴとは相互に接続された端子間でデータ通信を行っていたが、必ずしもこれにかぎらず、専用のケーブルによって接続されてもよいし、赤外線やブルートゥース（登録商標）等の無線を用いた通信であってもよい。特許請求の範囲における「近距離通信」という用語は、これらを含む概念である。要は、店舗端末ＢＴと移動機ＭＳが通信可能な位置にあるときに、その移動機ＭＳを持ったユーザが商業者の意図する場所に近い位置に所在するような状態を可能にすることが目的であるから、この目的を達成するような通信の形態が「近距離通信」という用語に含まれる。例えば、移動機ＭＳと店舗端末ＢＴとが移動パケット通信網ＭＰＳのような広域ネットワークを介して通信を行う場合には、上記のような目的を可能にすることは一般的には困難である。
ただし、移動機ＭＳと店舗端末ＢＴとがネットワークを介して通信を行う場合であってもよい場合もある。例えば、店舗端末ＢＴは、移動機ＭＳと通信を行う専用の通信装置と、メッセージを復号化する処理等を行う処理装置というように別々の装置によって構成されていてもよい。この場合、複数の通信装置が店舗内に分散配置されており、これらの複数の通信装置が店内ネットワークを介して１つの処理装置に接続される、というような構成を採ることもあり得る。このような構成であっても、店舗端末ＢＴの一部である通信装置と移動機ＭＳとが通信可能な位置にあるときに、その移動機ＭＳを持ったユーザが商業者の意図する場所に近い位置に所在するような状態を可能にするものであるから、「近距離通信」という用語に含まれることになる。
【００３１】
（４）上述の実施形態では、移動機ＭＳに対し電子メールを用いてメッセージを送信するようになっていた。しかし、メッセージの送信形態は、これに限らず、例えば、ショートメッセージサービス（ＳＭＳ）と呼ばれるものなどの他のメッセージ配信手法を用いてもよい。また、管理サーバＣＳがＨＴＴＰやＦＴＰ等のプロトコルに従って暗号化されたメッセージを含むファイルを移動機ＭＳに送信するようにしてもよい。
【００３２】
（５）暗号化されないて移動機ＭＳに配信されるメッセージは、店舗端末ＢＴを示すメッセージだけであってもよいし、これに加えて、移動機ＭＳのユーザに移動機ＭＳを持って店舗端末ＢＴの設置場所に赴くことを促すメッセージを含むものであってもよいし、暗号化されたメッセージを店舗端末ＢＴによって復号化することができる旨のメッセージを含むものであってもよい。
【００３３】
（６）上述の実施形態では、暗号化されるメッセージは宝くじ（ここではいわゆる電子クーポン）の内容を示すメッセージであったり、商品の割引内容を示すメッセージであったが、これに限らない、要は、店舗端末が設置されている場所で移動機のユーザが利用可能な特典の内容を示すメッセージであればよい。
【００３４】
（７）上述の実施形態では、店舗端末ＢＴは、復号化した情報を紙に印刷するだけであり、その復号結果を移動機ＭＳに送信しないようになっていた。これはメッセージの秘匿性を維持するためであったので、場合によっては、店舗端末ＢＴから復号結果を移動機ＭＳに送信するようにしてもよい。
【００３５】
（８）上述の実施形態では、暗号化されたメッセージは添付ファイルを意味するアイコンによって示されていたが、これに限らない。例えば、暗号化された内容をそのまま表示するようにしてもよい。この場合、ユーザにとっては意味が分からない文字や記号の羅列が表示されることになる。ただし、暗号化されたメッセージを全く表示しないようにしたのでは、ユーザの心情に基づく集客効果を期待できないおそれがあるので、ユーザが解読できないような何からの形態で表示する必要がある。
【００３６】
（９）上述した店舗端末ＢＴや管理サーバＣＳが動作するためのコンピュータプログラムは、店舗端末ＢＴや管理サーバＣＳのＣＰＵによって読み取り可能な磁気記録媒体、光記録媒体あるいはＲＯＭなどの記録媒体に記録して提供することができる。また、移動パケット通信網ＭＰＮやインターネットＩＮＥＴのようなネットワーク経由で店舗端末ＢＴや管理サーバＣＳにダウンロードさせることももちろん可能である。
【００３７】
【発明の効果】
上述したように本発明によれば、移動機のユーザは暗号メッセージを見るために端末装置の設置場所に必ず赴かなければならない。つまり、ユーザを端末装置に来させることができるので、これを利用すれば例えば商業店舗やイベント会場の集客効果が期待できる。また、ユーザは端末装置を用いない限り暗号メッセージの内容を確認することができないので、暗号メッセージの秘匿性が向上する。
【図面の簡単な説明】
【図１】本発明の実施の一形態に係る通信システムの構成を示すブロック図である。
【図２】同システムにおける管理サーバの構成を示すブロック図である。
【図３】同システムにおける店舗端末の構成を示すブロック図である。
【図４】同システムにおける管理サーバが記憶している管理テーブルの内容の一例を示す概念図である。
【図５】同システムにおける移動機に表示される電子メールの一例を示す図である。
【図６】同システムにおける店舗端末によって印刷されるメッセージの一例を示す図である。
【図７】同システムにおける移動機に表示される電子メールの一例を示す図である。
【図８】同システムにおける店舗端末によって印刷されるメッセージの一例を示す図である。
【図９】同システムの動作例を示すシーケンス図である。
【図１０】変形例におけるシステムの全体構成を示すブロック図である。
【図１１】同システムにおける移動機に表示される電子メールの一例を示す図である。
【図１２】同システムにおける移動機によって表示されるメッセージの一例を示す図である。
【符号の説明】
ＭＳ１、ＭＳ２・・・移動機、
ＢＴ１、ＢＴ２・・・店舗端末（端末装置）、
２１・・・制御部（復号手段）、２２・・・通信部、２３・・・データ入出力部、
２４・・・表示部（出力手段）、２５・・・操作部、
２６・・・印刷部（出力手段）、
ＣＳ・・・管理サーバ（管理装置）、
１１・・・ＣＰＵ（メッセージ送信手段、鍵情報送信手段）、
１２・・・ＲＯＭ、１３・・・ＲＡＭ、
１４・・・通信ポート（メッセージ送信手段、鍵情報送信手段）、
１５・・・ハードディスク、ＣＴ・・・管理テーブル、
ＩＮＥＴ・・・インターネット、ＭＰＮ・・・移動パケット通信網。
【図１】
2004266716.tif 000003
【図２】
2004266716.tif 000004
【図３】
2004266716.tif 000005
【図４】
2004266716.tif 000006
【図５】
2004266716.tif 000007
【図６】
2004266716.tif 000008
【図７】
2004266716.tif 000009
【図８】
2004266716.tif 000010
【図９】
2004266716.tif 000011
【図１０】
2004266716.tif 000012
【図１１】
2004266716.tif 000013
【図１２】
2004266716.tif 000014